(57)【要約】      （修正有）【課題】投入口からの郵便物抜き取りを防止できる郵便物収容ボックスを提供する。【解決手段】ハウジング７の一側に開閉蓋４とガイドベイン３を有する郵便物投入口を設け、他側に取出し口６を設ける。開閉蓋から離隔したハウジング内の上壁中央部に逆止回動部材９を配設する。逆止回動部材は常態では下方へ垂下し、投入物の挿入側先端に押されてハウジング内側上方へ回動するとともに、投入物を投入口から戻そうとすると元の下向き位置に係止されて投入物の抜き取りを干渉する。【選択図】図１
0003199548.tif 000002
【実用新案登録請求の範囲】
【請求項１】
一側に投入物（５）の投入口（２）と開閉扉（４）を設け、他側に取出し口（６）を設けたハウジング（７）を有し、前記開閉扉（４）からハウジング（７）の内側へ所定寸法だけ離隔した上壁中央部に、常態では下方へ垂下し、投入物（５）の挿入側先端に押されてハウジング（７）の内側上方へ回動するとともに、ハウジング（７）内への投入物（５）の投入により元の下方垂下位置に係止されて投入物（５）の抜き取りを干渉する逆止回動部材（９）を設けたことを特徴とする郵便物収容ボックス
【考案の詳細な説明】
【技術分野】
【０００１】
本考案はマンションなどの集合住宅に設置される郵便物などの収容ボックスに関し、詳細には投入口から挿入された郵便物などの投入物を投入口から引き出し難くした収容ボックスに関する。
【背景技術】
【０００２】
マンションなどの集合住宅には郵便物などの投入口と取出し口を有する収容ボックスが  各住居ごとに備えられている。
これらの収容ボックスは各住居の玄関ドアや袖パネルの内側に設けられているものや、集合郵便受けルームに設置されているものがあるがいずれも投入口と取出し口を有し、投入口から挿入・投函した郵便物等を取出し口から受け取るようになっている。
【０００３】
この種の収納ボックスは投入口の挿入ガイドベインと開閉蓋の間から投入物の先端側を挿入し、ガイドベインの奥まで押し込むと収容ボックスの内部に落とし込まれる構造になっている。
【０００４】
出願人の調査によれば、先行技術文献にはボックス内に投入した郵便物等を投入口から引き出し難くした構造の盗難防止付き収容ボックスは見当たらなかった。
【考案の概要】
【考案が解決しようとする課題】
【０００５】
従来のこの種の郵便物収容ボックスは投入物がボックス内に完全には投函されずに後端がガイドベインと開閉蓋の間にとどまっていると、開閉蓋を内側に押して隙間をつくりながら引き戻すことにより他人の郵便物等を簡単に盗み取ることができるという問題があった。
【０００６】
したがって本考案の目的は投入物の後端が投入口に掛かっていてもボックス内から容易には抜き取ることができず、これにより盗難防止に資する収容ボックスを提供することにある。
【課題を解決するための手段】
【０００７】
上記の課題を解決するために、本考案の郵便物収容ボックスは、一側に投入物の投入口と開閉扉を設け、他側に取出し口を設けたハウジングを有し、前記開閉扉からハウジング内側へ所定寸法だけ離隔した上壁の中央部に、常態では下方へ垂下し、投入物の挿入側先端に押されてハウジングの内側上方へ回動するとともに、ハウジング内への投入物の投入により元の下方垂下位置に係止されて投入物の抜き取りを干渉する逆止回動部材を設けたことを特徴とする。
【考案の効果】
【０００８】
本考案の郵便物収容ボックスは、投入口から離れたハウジング内の上壁中央部に逆止回動部材が下向きに設置されており、この逆止回動部材は上部枢着支軸を支点にしてボックス内側へ回動し、且つ、下向き係止位置から投入口側への回動が阻止される構造になっているので、投入口に臨んでいる郵便物等を、開閉扉を手指で開きながら引き抜こうとしても、前記逆止回動部材の先端によって引き抜きが干渉されることにより盗難が予防される。
【図面の簡単な説明】
【０００９】
【図１】本考案の一実施例による郵便物収容ボックスの長手方向縦断面図
【図２】図１のＡ−Ａ線断面図
【図３】逆止回動部材組付け斜視図
【図４】逆止回動部材組付け平面図
【図５】スプリングホルダー平面図
【図６】従来の郵便物収容ボックスの図１相当図
【考案を実施するための形態】
【００１０】
本考案の好ましい実施例を添付の図面に基づいて説明する。
図１、図２に示すように、本考案の郵便物収容ボックス１は玄関ドアや袖パネル(図は省略)の内側開口縁に取付けられるハウジング７を有している。
このハウジング７は各種便物等の投入物を受け入れる所定の横巾、奥行き、高さを有する方形のボックスからなり、一側（正面側）に投入物の投入口２が設けられているとともに、他側（図の実施例では後面側）に投入物の取出し口６が設けられている。
【００１１】
ハウジング７の投入口２の上部にはハウジング内側矢印Ｘ方向へ弾発的に回動して投入口２を開閉する横長の開閉蓋４が枢着されているとともに、開閉蓋４の閉位置（実線位置）下方に所定奥行き幅を有する横長のガイドベイン３が対向配置されており、投入口２のガイドベイン３と開閉蓋４の間から挿入した投入物５（図２参照）が開閉蓋４を押し開いてボックス内８に投入されるようになっている。
【００１２】
このような構成になる郵便物収容ボックス１において、本考案の主たる特徴は、投入口２の開閉扉４からボックス内部８へ所定巾だけ離隔した上壁の中央部に逆止回動部材９を配設したことにある。
【００１３】
図の実施例の逆止回動部材９は、図３、図４に示すように、上記上壁中央部から下方へ垂下するＵ字形線材からなる回動スプリング本体９ａと、この回動スプリング９ａを支持するスプリングホルダー１０で構成されている。
【００１４】
回動スプリング本体９ａはＵ字形線材の左右上端を外側へ折り曲げて支軸９ｂ、９ｂとしたバネ材で構成されており、他方、スプリングホルダー１０は、図５に示すように、ハウジング７の前記上壁中央部に取付螺子孔１０ａを介して固定される断面コの字状のフレーム１０ｂからなり、このコの字状フレーム１０ｂの左右側板に設けた軸受部１０ｃ、１０ｃ間に、前記回動スプリング本体９ａを貫通させるための開口部１０ｄを形成してある。
図３、図４に示すように、回動スプリング本体９ａは外側へ折り曲げた左右支軸９ｂ、９ｂの一方の先端９ｂ−１をハウジングン７の投入口２側へ向けた水平折り曲げ部に形成するとともに、他方の支軸先端９ｂ−２を前記ハウジング７の取出し口６側へ向けた緩やかな湾曲部に形成してある。
【００１５】
かくして、逆止回動部材９は、回動スプリング本体９ａのＵ字形バネ部をスプリングホルダー１０の開口部１０ｄを通して垂下させるとともに、回動スプリング本体９ａの左右支軸９ｂ、９ｂをホルダー１０の左右軸受部１０ｃ、１０ｃに係合させ、左右支軸先端９ｂ−１、９ｂ−２をハウジング７の上壁に接触又は接近させてハウジング７の前記上壁中央部に取付けられている。
【００１６】
上記の構成により、投入物５が投入口４から挿入されると逆止回動部材９の回動スプリング本体９ａをハウジング７の取出し口６側、すなわち、矢印Ｙ方向へ回動させて、投入物５の投入が可能になる。
他方、投入物５と回動スプリング本体９ａの押圧係合が解かれると、回動スプリング本体９ａの前記他方の支軸先端９ｂ−２の湾曲先端部が上壁との摺接により回動スプリング本体９ａは元の垂下位置に段発的に復帰する。この復帰位置では回動スプリング本体９ａの前記一方支軸先端９ｂ−１はハウジング７の上壁に当接して係止され、投入口４側への回動が干渉される。
【００１７】
一般に、投入物５の後端が投入口２に臨んでいる状態では開閉蓋４をハウジング内に押し込みながら投入物を引き抜くことは可能であるが、本考案の収容ボックス１は逆止回動部材９が介在することにより、投入物５を投入口２から引き出そうとしても投入口２側への回動が不能又は制限されている回動スプリング本体９ａの先端に干渉され引き抜き困難となる。
【００１８】
逆止回動部材９のハウジング内設置位置及び垂下長さは、ハウジング７の大きさ、投入物５の寸法によって様々であるが、上記の投入物の挿入を可能し、且つ、引き抜き制限機能が働くように適宜設定される。
ちなみに図の実施例の収容ボックス１は投入物５の寸法が横巾３４０ｍｍ×奥行き２６０ｍｍ×高さ３５ｍｍのものを想定しており、この場合、投入口２の開口縦寸法は３５ｍｍ、投入口2から逆止回動部材９の配設位置までの奥行きは５５ｍｍ、回動スプリング本体９ａの垂下寸法は３０ｍｍに設定されている。
【００１９】
また、投入口２のガイドベイン３は、ガイドベイン３に摺接させて投入する投入物５の先端が開閉蓋４を開き、さらに垂下位置にある回動スプリング部材本体９ａに接触して矢印Ｙ方向へ押圧するように適宜の上向き勾配に形成する。
【００２０】
逆止回動部材９の構造、形状は図の実施例に限定されるものではなく、投入物５の先端に押されてハウジング７の後方（矢印Ｙ方向）へ回動し、元の垂下位置に復帰した位置からは投入口２側への回動が制約される機能を持つものであれば適用可能である。
【産業上の利用可能性】
【００２１】
本考案の投入物収容ボックスは投入物の盗難防止機能が付加されているので住宅・事務所等の郵便受けとして広く利用することができる。
【符号の説明】
【００２２】
１…収容ボックス
２…投入口
３…ガイドベイン
４…開閉扉
５…投入物
６…取出し口
７…ハウジング
８…ボックス内部
９…逆止回動部材
９ａ…回動スプリング本体
９ｂ…回動スプリング本体の左右支軸
９ｂ−１、９ｂ−２…支軸先端
１０…スプリングホルダー
１０ａ…取付螺子孔
１０ｂ…断面コの字状フレーム
１０ｃ、１０ｃ…左右軸受部
１０ｄ…開口部
【図１】
0003199548.tif 000003
【図２】
0003199548.tif 000004
【図３】
0003199548.tif 000005
【図４】
0003199548.tif 000006
【図５】
0003199548.tif 000007
【図６】
0003199548.tif 000008